(57)【要約】【目的】  簡易切断部を持つと共に、該切断部を切断することによって形成される外部と内部を連通する連通口を内容物の注出口として用いる容器において、ノズルの長手軸方向以外の方向に内容液を抽出すること、引張伸び性の高い樹脂で簡易切断部を構成した際に、簡易切断部を手でねじ切った場合でも、ねじ切りの際に樹脂が伸びてしまい注出口が小さくなってしまう、または完全に閉口してしまうという問題を回避することを目的とする。【構成】  本体またはその一部と一体に形成された切断部を持つと共に、該切断部を切断することによって形成される外部と内部を連通する連通口を内容物の注出口として用いる容器において、該注出口が本体より突出した注入ノズル部の先端にあって、該注出口は注入ノズル部の長手軸方向に対して４５度〜９０度の傾きをもって開口する密閉容器。【選択図】        図１
2006016027.tif 000002
【特許請求の範囲】
【請求項１】
流動性を持つ内容物を密閉・封入する容器であって、本体またはその一部と一体に形成された切断部を持つと共に、該切断部を切断することによって形成される外部と内部を連通する連通口を内容物の注出口として用いる容器において、該注出口が本体より突出した注入ノズル部の先端にあって、該注出口は注入ノズル部の長手軸方向に対して４５度〜９０度の傾きをもって開口することを特徴とする密閉容器。
【請求項２】
流動性を持つ内容物を密閉・封入する容器であって、本体またはその一部と一体に形成された簡易切断部を持つと共に、該切断部を切断することによって形成される外部と内部を連通する連通口を内容物の注出口として用いる容器において、該切断部の断面形状が楕円もしくは非円形であることを特徴とする密閉容器。
【発明の詳細な説明】
【技術分野】
【０００１】
本発明は、水性・油性の筆記具用インキ類、インキジェットプリンタ用インキ類、アイライナー等の化粧液、塗料などの塗布液や薬剤といった液料を流動状態で収容する密閉容器に関する。
【背景技術】
【０００２】
従来より容器の本体またはその一部、たとえば注出用ノズルなどと一体に形成された切断面形状が円形状の簡易切断部を持つと共に、該切断部を切断することによって形成される外部と内部を連通する連通口を内容物の注出口として用いる容器がある。例えば、ブロー成形や射出成形によって一体に形成された簡易切断部をハサミなどの刃物で切断するか、あるいは手でねじ切ることによって容器を開封し、内容液を注出できる容器がある。また、その内容液をインキとした場合、それをスタンプ等に補充できるものがあり、共に広く知られている。
しかし、従来の構造ではノズルの長手軸方向にしか内容液を抽出することができず、内容液を充填される対象は充填口付近に広い空間を確保する必要があった。たとえば、充填口の先に内容液注出を妨げるような部品を配置してしまうと、部品に当たって跳ね返った内容液が、充填口から逆に噴出してしまう恐れがあるからである。
また、簡易切断部を手でねじ切れるような構造とした場合、従来の構造ではその切断部分の断面形状が径の小さい円形となっているたために、容器を構成する樹脂に引張伸び性の高い樹脂を使用してしまうと、ねじ切りの際に樹脂が伸びてしまい、注出口が小さくなってしまったり、強いては、完全に閉口してしまうという問題があった。
【特許文献１】特開平１１−１３０１１２号。
【特許文献２】特開平７−６８９１１号。
【発明の開示】
【発明が解決しようとする課題】
【０００３】
容器の本体またはその一部、たとえば注出用ノズルなどと一体に形成された簡易切断部を持つと共に、該切断部を切断することによって形成される外部と内部を連通する連通口を内容物の注出口として用いる容器において、ノズルの長手軸方向以外の方向に内容液を注出することを第一の課題とする。
【０００４】
また、引張伸び性の高い樹脂で簡易切断部を構成した際、簡易切断部を手でねじ切った場合でも、ねじ切りの際に樹脂が伸びてしまい注出口が小さくなってしまったり、完全に閉口してしまうという問題を回避することを第二の課題とする。
【課題を解決するための手段】
【０００５】
第一の課題を解決する手段として、流動性を持つ内容物を密閉・封入する容器であって、本体またはその一部と一体に形成された切断部を持つと共に、該切断部を切断することによって形成される外部と内部を連通する連通口を内容物の注出口として用いる容器において、該注出口が本体より突出した注入ノズル部の先端にあって、該注出口は注入ノズル部の長手軸方向に対して４５度〜９０度の傾きをもって開口することを要旨とする。
【０００６】
この種の密閉容器には様々な利用方法があるが、例えば筆記具やパソコンプリンターなどに使用されるインキカートリッジへのインキ補充など、別な容器へ内容液を補充することを目的とする場合、補充対象にインキを注入するための補充用穴を設けて、該穴部に容器のノズル部を挿入して内容液を注入する方法が一般的である。
なぜなら、この方法をとれば穴部にノズルを挿入しない場合に比べて、内容液が補充対象の外部に漏れ出るリスクを大幅に軽減できるからである。
【０００７】
しかし、この方法を採るためには、注入した内容液が跳ね返って補充用穴より外部に放出してしまうことを防止する為に、内容液の放出線近傍には、内容液の流入を阻害するような構成部材を配置することはできなかった。
【０００８】
そこで、本発明は切断部を切断することで開封する内容液注出口の向きをノズルの長手軸方向に対して、４５度〜９０度傾けることにより、前述のような内容液の流入を阻害する構成部材を避ける方向に内容液の放出線をコントロールする。
【０００９】
また、この種の容器は密閉容器であるために、注出口を開けただけでは内容液を効率よく注出できない場合が多い。したがって、多くの場合は注出口を開けたのちに本体またはその一部を押圧することで容器に体積変化を起こして内容液を注出することとなる。よって、容器本体あるいはその一部にはポリエチレンなどの押圧変形可能な程度にやわらかい樹脂が用いられる場合が多い。
しかし、内容液が有機溶剤などを含む場合、透過による揮発を防ぐために、樹脂を自由に選定できない場合がある。その結果、選定された樹脂が引張伸びの大きい樹脂であった場合には、切断部はハサミやカッターなどの刃物で切るしかない。なぜなら、簡易切断部を小径に設計し、手でねじ切れるように設計してしまうと、簡易切断部に回転を加えた際に、その簡易切断部の樹脂が回転の中心に向かって捻られながら伸びてしまい、開口した注出口が設計者の意図した以上に小径になってしまったり、最悪の場合は全く開口しないこともあるからである。
しかし、先述のようなやわらかい樹脂というものは同時に引張伸びが大きいものが多く、この種の密閉容器をつくる際に樹脂の選定が自由にできないということは多くの設計者を悩ませてきた問題である。また、簡易切断部はハサミやカッターなどの刃物を使うことなく手でねじ切れたほうが使用者にとって簡便であることは明らかであり、引張伸びの大きな樹脂を用いた場合でも刃物を使うことなく簡単にねじ切れる簡易切断部の設計が求められていた。
【００１０】
そこで、この第二の課題を解決するために本発明は、簡易切断部の断面形状を楕円もしくは非円形としたことを要旨とする。
【００１１】
このように簡易切断部の断面形状を楕円もしくは非円形とすることで、断面の幾何学的な中心が一点に定まらないため、簡易切断部がねじられて切断される際に、樹脂にかかる引っ張りの方向が部分部分で異なり、伸びた樹脂が一点に収束しづらくなる。その結果、簡易切断部の断面形状を円形とした場合に比べてより大きな開口を得ることができる。また、伸びた樹脂によって開口が完全に塞がれてしまうリスクも大幅に軽減することができた。
【発明の効果】
【００１２】
本発明はノズルの先端部に設けた簡易切断部を切断することで開封し、その開口部から内容液を注出する容器であって、且つ補充対象にその内容液を補充することを目的とするものにおいて、該開口部をノズルの長手軸方向から４５度〜９０度傾けることにより、補充対象の内部構造をより自由に設計できるものである。ちなみに、４５度未満であると従来技術で示したように、跳ね返った内容液が充填口から噴出してしまい、また、９０度を超えてしまっても充填口に向かって注出される為、その充填口から噴出する険性が高まってしまう。
また、簡易切断部の断面形状を楕円もしくは非円形とすることにより、簡易切断部を手でねじ切った際の樹脂の伸びによる開口部の縮小を抑えるものであり、この効果によって容器に使用する樹脂の選定をより幅広くできる。その結果、容器に内容する内容液の種類もより幅広くなるものである。
【発明を実施するための最良の形態】
【００１３】
図１は本発明にかかる密閉容器の縦断面図である。参照符号１は単一部品で構成された密閉容器本体を指す。容器１はブロー成形による中空のプラスチック成形品であり、内部には内容液２が充填されている。さらにその後、溶着部１１を溶着したことによって密閉状態となって提供される。
容器１はノズル１２の先端部に簡易切断部１３をノズル１２の長手軸方向より９０度傾いた位置に設けている。簡易切断部１３はハサミやカッターなどの刃物でも簡単に切断できるが、把持部１４を手でねじることにでも簡単にねじ切ることが可能である。簡易切断部１３を切断することによって注出口１５が外部に連通し、容器１は開封される。
また、簡易切断部１３を切断した際にバリなどが若干残ってしまうことを考慮して、注出口１５が形成される部分はその周囲よりも若干凹ませている。こうすることで、簡易切断部１３を切断した際にバリが残っても、そのバリが、ノズル１２の外径を超えて横方向に突出してしまう可能性が低くなる。
【００１４】
次ぎに、補充例について説明する。図２に示すように、簡易切断部を切断した容器１は補充対象３の補充用穴３１にノズル１２を挿入して内容液２を注出・補充するものである。このとき、図３に示す従来の容器４のように簡易切断部４３がノズル４２の長手軸方向にあり、注出口４５から注出される内容液がノズル４２の長手軸方向に注出されたなら、図２に示す補充対象３の内部に配置された内部構成部材３２によって注出直後の内容液２が跳ね返り、一度内部に注出した内容液２が外部に漏れだしてしまう恐れがある。しかし、本発明にかかる容器１は注出口１５がノズル１２の長手軸方向に対して９０度横に傾いているため、内容液を補充対象３に補充する場合でも、注出した内容液２が内部構成部材３２に直接かかる恐れがなく、その跳ね返りによって内容液２が外部に漏れ出ることがない。
【００１５】
さらに、簡易切断部１３の切断面５は図４に示すような楕円形状となっている。楕円という形状は幾何学的中心５１が２点あるものである。このような形状とすることで把持部１４をねじる際の中心が一点に定まりにくくなり、その結果、把持部１４がねじられた際に伸びた樹脂が、一点に収束しづらくなる。
もし、簡易切断部１３が図５に示すように従来のような円形の切断面６を持ち、且つ容器１が引張伸びの大きい樹脂で構成されていたならば、把持部１４をねじって切断するまでの間に樹脂が伸びてしまい、注出口１５が小さくなってしまったり、あるいは図６に示すように伸びた樹脂が中心の一点に収束して注出口１５を完全に閉口してしまうこともある。
しかし、本発明にかかる容器１は簡易切断部１３の断面形状を図４に示すような楕円形状としているため前述の理由によって注出口１５は小さくなりづらく、もちろん完全に閉口する恐れもない。
【００１６】
図７に本発明にかかる実施形態の第２例を示す。本実施例は簡易切断部１３とそれを切断することによって開口する注出口１５をノズル１２の長手軸方向に対して４５度傾けたものである。このような形態を採ることで、補充対象３の内壁と内部構成部材３２の隙間に内容液２を注出することができる。
【００１７】
図８、図９に簡易切断部１３の断面形状を楕円以外の非円形とした場合の例を示す。図８は三角形、図９は四角形というように多角形の断面形状であるが、このような形状をとった場合、把持部がねじられた際に断面形状の頂点部にある樹脂はいったん多角形の外側に向かって伸びていくため、再び多角形の内側に向かって伸び、一点に収束するというリスクは少ない。このように多角形の断面形状とする場合には三角形や四角形のようにできるだけ角の少ない形状とすることが好ましい。角が多くなればなるほどその形状は円に近づいてしまうからである。
また、図１０に示すように長方形などの正多角形以外の形状にするのもよい。さらに図１１に示すような星型などにすると、断面形状の頂点部にある樹脂がいったん多角形の外側に向かって伸びていくという効果がより確実なものとなる。
【産業上の利用可能性】
【００１８】
本発明による簡易切断部の構造を持つ密閉容器は請求項に示された形態を持って前述のような作用・効果を得たので、様々な形状を持つ補充対象に対してそれぞれに対応した形状・構造を持たせることができ、さらに樹脂の引張伸び性が高い樹脂で構成した容器の簡易切断部を手でねじ切る場合にも、確実に容器を開封し、内容液を注出することができるものである。
【図面の簡単な説明】
【００１９】
【図１】本発明の第１例による密閉容器の縦断面図である。
【図２】本発明による密閉容器での内容液補充状態図である。
【図３】従来の形状による簡易切断部を持つ密閉容器の図である。
【図４】本発明による密閉容器の簡易切断部断面形状である。
【図５】従来の形状による密閉容器の簡易切断部断面形状である。
【図６】簡易切断部ねじきりの際に伸びた樹脂が一点に収束した場合の模式図である。
【図７】第２例による実施形態を示した図である。
【図８】本発明による密閉容器の簡易切断部断面形状の一例を示した図である。
【図９】本発明による密閉容器の簡易切断部断面形状の一例を示した図である。
【図１０】本発明による密閉容器の簡易切断部断面形状の一例を示した図である。
【図１１】本発明による密閉容器の簡易切断部断面形状の一例を示した図である。
【符号の説明】
【００２０】
１      容器
１１    溶着部
１２    ノズル
１３    簡易切断部
１４    把持部
１５    注出口
２      内容液
３      補充対象
３１    補充用穴
３２    内部構成部材
４      従来の容器
４２    ノズル
４３    簡易切断部
５      簡易切断部の切断面
５１    幾何学的中心
６      従来の構造による簡易切断部の切断面
【図１】
2006016027.tif 000003
【図２】
2006016027.tif 000004
【図３】
2006016027.tif 000005
【図４】
2006016027.tif 000006
【図５】
2006016027.tif 000007
【図６】
2006016027.tif 000008
【図７】
2006016027.tif 000009
【図８】
2006016027.tif 000010
【図９】
2006016027.tif 000011
【図１０】
2006016027.tif 000012
【図１１】
2006016027.tif 000013